(57)【要約】【課題】  認証入力の手間を省き、簡単なシステムで携帯電話機の利用者認証を可能とする。【解決手段】  ライタ１７はマスター認証情報をマスタータグ２０に書き込む。記憶部１５はマスター認証情報を格納する。リーダ１６はマスタータグ２０を読み出す。制御部１４はリーダ１６が読み出したデータを記憶部１５に格納しているマスター認証情報と比較して一致した場合は携帯電話機１０を利用可能とする。マスター認証されている状態で、ライタ１７はメンバータグ３０ａ、…、３０ｎにメンバー認証情報を書き込む。記憶部１５はメンバー認証情報を格納する。制御部１４はリーダ１６がメンバータグ３０ａ、…、３０ｎから読み出したデータを記憶部１５に格納しているメンバー認証情報と比較して一致した場合は携帯電話機１０を利用可能とする。【選択図】      図１
2005159565.tif 000002
【特許請求の範囲】
【請求項１】
携帯電話機とマスタータグとを備え、前記携帯電話機は、マスター認証情報を前記マスタータグに書き込むライタと、前記マスター認証情報を格納する記憶部と、前記マスタータグから情報を読み出すリーダと、前記リーダが読み出した情報を前記記憶部に格納しているマスター認証情報と比較して一致した場合は前記マスタータグを認証して前記携帯電話機を利用可能とするマスター認証手段とを有することを特徴とする携帯電話機の利用者認証システム。
【請求項２】
さらにメンバータグを備え、前記ライタは前記マスタータグが認証されているときに前記メンバータグにメンバー認証情報を書き込み、前記記憶部は前記メンバー認証情報を記憶し、前記認証手段は前記リーダが前記メンバータグから読み出した情報を前記記憶部に格納しているメンバー認証情報と比較して一致した場合は前記携帯電話機を利用可能とすることを特徴とする請求項１記載の携帯電話機の利用者認証システム。
【請求項３】
前記マスタータグと前記メンバータグとはＲＦＩＤタグであることを特徴とする請求項１または２記載の携帯電話機の利用者認証システム。
【請求項４】
前記メンバータグが複数個であり、前記ライタが書き込むメンバー認証情報は前記メンバータグに応じて異なることを特徴とする請求項１、２または３記載の携帯電話機の利用者認証システム。
【請求項５】
前記メンバータグが複数個でありグループ分けされ、前記ライタが書き込むメンバー認証情報はグループに応じて異なることを特徴とする請求項１、２または３記載の携帯電話機の利用者認証システム。
【請求項６】
さらに情報処理端末を備え、前記携帯電話機は前記記憶部に格納したデータを前記情報処理端末に送信する手段と、前記情報処理端末から送信されたデータを前記記憶部に格納する手段とを有することを特徴とする請求項２、３、４または５記載の携帯電話機の利用者認証システム。
【請求項７】
携帯電話機に内蔵したライタでマスター認証情報をマスタータグに書き込むステップと、前記マスター認証情報を前記携帯電話機の記憶部に格納するステップと、前記携帯電話機に内蔵したリーダで前記マスタータグから情報を読み出すステップと、前記リーダが読み出した情報を前記記憶部に格納しているマスター認証情報と比較して一致した場合は前記マスタータグを認証して前記携帯電話機を利用可能とするステップとを有することを特徴とする携帯電話機の利用者認証方法。
【請求項８】
前記ライタが前記マスタータグが認証されているときにメンバータグにメンバー認証情報を書き込むステップと、前記メンバー認証情報を記憶部に格納するステップと、前記リーダが前記メンバータグから読み出した情報を前記記憶部に格納しているメンバー認証情報と比較して一致した場合は前記携帯電話機を利用可能とするステップとを有することを特徴とする請求項７記載の携帯電話機の利用者認証方法。
【請求項９】
前記マスタータグと前記メンバータグとはＲＦＩＤタグであることを特徴とする請求項７または８記載の携帯電話機の利用者認証方法。
【請求項１０】
前記メンバータグが複数個であり、前記ライタが書き込むメンバー認証情報は前記メンバータグに応じて異なることを特徴とする請求項７、８または９記載の携帯電話機の利用者認証方法。
【請求項１１】
前記メンバータグが複数個でありグループ分けされ、前記ライタが書き込むメンバー認証情報はグループに応じて異なることを特徴とする請求項７、８または９記載の携帯電話機の利用者認証方法。
【請求項１２】
前記記憶部に格納したデータを前記携帯電話機から情報処理端末に送信するステップと、前記情報処理端末から送信されたデータを前記記憶部に格納するステップとを有することを特徴とする請求項８、９、１０または１１記載の携帯電話機の利用者認証方法。
【請求項１３】
マスター認証情報をマスタータグに書き込むライタと、前記マスター認証情報を格納する記憶部と、前記マスタータグから情報を読み出すリーダと、前記リーダが読み出した情報を前記記憶部に格納しているマスター認証情報と比較して一致した場合は前記マスタータグを認証して携帯電話機能を利用可能とするマスター認証手段とを有することを特徴とする携帯電話機。
【請求項１４】
前記ライタは前記マスタータグが認証されているときにメンバータグにメンバー認証情報を書き込み、前記記憶部は前記メンバー認証情報を記憶し、前記認証手段は前記リーダが前記メンバータグから読み出した情報を前記記憶部に格納しているメンバー認証情報と比較して一致した場合は携帯電話機能を利用可能とすることを特徴とする請求項１３記載の携帯電話機。
【請求項１５】
前記マスタータグと前記メンバータグとはＲＦＩＤタグであることを特徴とする請求項１３または１４記載の携帯電話機。
【請求項１６】
前記メンバータグが複数個であり、前記ライタが書き込むメンバー認証情報は前記メンバータグに応じて異なることを特徴とする請求項１３、１４または１５記載の携帯電話機。
【請求項１７】
前記メンバータグが複数個でありグループ分けされ、前記ライタが書き込むメンバー認証情報はグループに応じて異なることを特徴とする請求項１３、１４または１５記載の携帯電話機。
【請求項１８】
前記記憶部に格納したデータを情報処理端末に送信する手段と、前記情報処理端末から送信されたデータを前記記憶部に格納する手段とを有することを特徴とする請求項１４、１５、１６または１７記載の携帯電話機。
【請求項１９】
携帯電話機に内蔵したライタでマスター認証情報をマスタータグに書き込む処理と、前記マスター認証情報を前記携帯電話機の記憶部に格納する処理と、前記携帯電話機に内蔵したリーダで前記マスタータグから情報を読み出す処理と、前記リーダが読み出した情報を前記記憶部に格納しているマスター認証情報と比較して一致した場合は前記マスタータグを認証して前記携帯電話機を利用可能とする処理とをコンピュータに実行させるためのプログラム。
【請求項２０】
前記ライタが前記マスタータグが認証されているときにメンバータグにメンバー認証情報を書き込む処理と、前記メンバー認証情報を記憶部に格納する処理と、前記リーダが前記メンバータグから読み出した情報を前記記憶部に格納しているメンバー認証情報と比較して一致した場合は前記携帯電話機を利用可能とする処理とをコンピュータに実行させるための請求項１９記載のプログラム。
【発明の詳細な説明】
【技術分野】
【０００１】
本発明は携帯電話機の利用者認証システム、携帯電話機の利用者認証方法および携帯電話機の利用者認証用プログラムに関し、特に、個人が携帯電話機を利用する権限を有するかの認証を行う、携帯電話機の利用者認証システム、携帯電話機の利用者認証方法および携帯電話機の利用者認証用プログラムに関する。
【背景技術】
【０００２】
従来の携帯電話機利用者認証システムでは、指紋認証やアイリス認証などのバイオメトリクスを使った個人認証システムがある。
【０００３】
例えば特許文献１には次のような技術が開示されている。携帯電話機には、指紋データを入力する指紋センサと、入力指紋データＡを送信する指紋データ送信手段と、暗証番号を入力するダイヤルボタンとが設けられている。ホストコンピュータには、予め登録された登録指紋データＢを記憶する指紋データ記憶手段と、携帯電話機から送信された入力指紋データＡを受信する指紋データ受信手段と、入力指紋データＡが登録指紋データＢに一致するか否かを判断する指紋データ照合手段と、指紋データ照合手段で入力指紋データＡが登録指紋データＢに一致すると判断された場合に携帯電話機からのアクセスを許可するアクセス許可手段とが設けられている。
【０００４】
また、携帯電話機と認証番号記憶装置との間で無線通信による送受信により互いの認証を行うシステムもある（例えば、特許文献２参照。）。
【０００５】
【特許文献１】特開２００１−２９０７７８号公報
【特許文献２】特開平５−９１１０２号公報
【発明の開示】
【発明が解決しようとする課題】
【０００６】
上述した従来の携帯電話機の個人認証システムは、指紋認証と言ったバイオメトリクス技術を用いて利用者を特定するものは、一部の身体に障害のある方などでは、バイオメトリクス認証が使えないという問題点があった。また、識別のためのデータが大きくなり、データをネット上に保存するなどシステムが複雑化するという問題点があった。
【０００７】
また、従来のシステムでは、一度認証をした後も、セキュリティを確保するためには、その都度「認証」を実施する必要があるという問題点があった。
【０００８】
さらに、企業などで携帯電話を時間排他で複数の利用者で共用する場合、従来のシステムでは、携帯電話機の外部にあるデータベース上に利用者情報を格納しておき、認証時に、携帯電話機がそのデータベースと通信し、利用者を確認するといった複雑な手続きをとる必要があった。
【０００９】
本発明の目的は、認証入力の手間を省き、簡単なシステムで認証を可能とする携帯電話機の利用者認証システム、携帯電話機の利用者認証方法および携帯電話機の利用者認証用プログラムを提供することにある。
【課題を解決するための手段】
【００１０】
本発明の携帯電話機の利用者認証システムは、携帯電話機とマスタータグとを備え、前記携帯電話機は、マスター認証情報を前記マスタータグに書き込むライタと、前記マスター認証情報を格納する記憶部と、前記マスタータグから情報を読み出すリーダと、前記リーダが読み出した情報を前記記憶部に格納しているマスター認証情報と比較して一致した場合は前記マスタータグを認証して前記携帯電話機を利用可能とするマスター認証手段とを有することを特徴とする。
【００１１】
本発明の携帯電話機の利用者認証システムは、さらにメンバータグを備え、前記ライタは前記マスタータグが認証されているときに前記メンバータグにメンバー認証情報を書き込み、前記記憶部は前記メンバー認証情報を記憶し、前記認証手段は前記リーダが前記メンバータグから読み出した情報を前記記憶部に格納しているメンバー認証情報と比較して一致した場合は前記携帯電話機を利用可能とすることを特徴としてもよい。
【００１２】
本発明の携帯電話機の利用者認証システムは、前記マスタータグと前記メンバータグとはＲＦＩＤタグであることを特徴としてもよい。
【００１３】
本発明の携帯電話機の利用者認証システムは、前記メンバータグが複数個であり、前記ライタが書き込むメンバー認証情報は前記メンバータグに応じて異なることを特徴としてもよい。
【００１４】
本発明の携帯電話機の利用者認証システムは、前記メンバータグが複数個でありグループ分けされ、前記ライタが書き込むメンバー認証情報はグループに応じて異なることを特徴としてもよい。
【００１５】
本発明の携帯電話機の利用者認証システムは、さらに情報処理端末を備え、前記携帯電話機は前記記憶部に格納したデータを前記情報処理端末に送信する手段と、前記情報処理端末から送信されたデータを前記記憶部に格納する手段とを有することを特徴としてもよい。
【００１６】
本発明の携帯電話機の利用者認証方法は、携帯電話機に内蔵したライタでマスター認証情報をマスタータグに書き込むステップと、前記マスター認証情報を前記携帯電話機の記憶部に格納するステップと、前記携帯電話機に内蔵したリーダで前記マスタータグの情報を読み出すステップと、前記リーダが読み出した情報を前記記憶部に格納しているマスター認証情報と比較して一致した場合は前記マスタータグを認証して前記携帯電話機を利用可能とするステップとを有することを特徴とする。
【００１７】
本発明の携帯電話機の利用者認証方法は、前記ライタが前記マスタータグが認証されているときにメンバータグにメンバー認証情報を書き込むステップと、前記メンバー認証情報を記憶部に格納するステップと、前記リーダが前記メンバータグから読み出した情報を前記記憶部に格納しているメンバー認証情報と比較して一致した場合は前記携帯電話機を利用可能とするステップとを有することを特徴としてもよい。
【００１８】
本発明の携帯電話機の利用者認証方法は、前記マスタータグと前記メンバータグとはＲＦＩＤタグであることを特徴としてもよい。
【００１９】
本発明の携帯電話機の利用者認証方法は、前記メンバータグが複数個であり、前記ライタが書き込むメンバー認証情報は前記メンバータグに応じて異なることを特徴としてもよい。
【００２０】
本発明の携帯電話機の利用者認証方法は、前記メンバータグが複数個でありグループ分けされ、前記ライタが書き込むメンバー認証情報はグループに応じて異なることを特徴としてもよい。
【００２１】
本発明の携帯電話機の利用者認証方法は、前記記憶部に格納したデータを前記携帯電話機から情報処理端末に送信するステップと、前記情報処理端末から送信されたデータを前記記憶部に格納するステップとを有することを特徴としてもよい。
【００２２】
本発明の携帯電話機は、マスター認証情報をマスタータグに書き込むライタと、前記マスター認証情報を格納する記憶部と、前記マスタータグから情報を読み出すリーダと、前記リーダが読み出した情報を前記記憶部に格納しているマスター認証情報と比較して一致した場合は前記マスタータグを認証して携帯電話機能を利用可能とするマスター認証手段とを有することを特徴とする。
【００２３】
本発明の携帯電話機は、前記ライタは前記マスタータグが認証されているときにメンバータグにメンバー認証情報を書き込み、前記記憶部は前記メンバー認証情報を記憶し、前記認証手段は前記リーダが前記メンバータグから読み出した情報を前記記憶部に格納しているメンバー認証情報と比較して一致した場合は携帯電話機能を利用可能とすることを特徴としてもよい。
【００２４】
本発明の携帯電話機は、前記マスタータグと前記メンバータグとはＲＦＩＤタグであることを特徴としてもよい。
【００２５】
本発明の携帯電話機は、前記メンバータグが複数個であり、前記ライタが書き込むメンバー認証情報は前記メンバータグに応じて異なることを特徴としてもよい。
【００２６】
本発明の携帯電話機は、前記メンバータグが複数個でありグループ分けされ、前記ライタが書き込むメンバー認証情報はグループに応じて異なることを特徴としてもよい。
【００２７】
本発明の携帯電話機は、前記記憶部に格納したデータを情報処理端末に送信する手段と、前記情報処理端末から送信されたデータを前記記憶部に格納する手段とを有することを特徴としてもよい。
【００２８】
本発明のプログラムは、携帯電話機に内蔵したライタでマスター認証情報をマスタータグに書き込む処理と、前記マスター認証情報を前記携帯電話機の記憶部に格納する処理と、前記携帯電話機に内蔵したリーダで前記マスタータグから情報を読み出す処理と、前記リーダが読み出した情報を前記記憶部に格納しているマスター認証情報と比較して一致した場合は前記マスタータグを認証して前記携帯電話機を利用可能とする処理とをコンピュータに実行させる。
【００２９】
本発明のプログラムは、前記ライタが前記マスタータグが認証されているときにメンバータグにメンバー認証情報を書き込む処理と、前記メンバー認証情報を記憶部に格納する処理と、前記リーダが前記メンバータグから読み出した情報を前記記憶部に格納しているメンバー認証情報と比較して一致した場合は前記携帯電話機を利用可能とする処理とをコンピュータに実行させるようにしてもよい。
【発明の効果】
【００３０】
本発明によれば、以下に記載する効果の内、いずれかの効果が得られる。
【００３１】
タグリーダ・ライタ搭載の携帯電話機とタグとがあれば、携帯電話の利用者認証システムを、ネット接続や、データベースなどが不要で、簡単で安価に構築できる。
【００３２】
携帯電話機の利用者は、タグライタによって書き込まれたタグを携帯しているだけで認証が可能になるため、認証のための暗証番号の入力が不要であり、またバイオメトリクス認証で問題になる、身体にハンディキャップのある方でも、認証が可能になる。
【００３３】
利用者権限が書き込まれたタグを携帯しているだけで、認証が可能であるため、セキュリティ確保のために利用者が頻繁に認証操作を意識して行う必要が無い。
【００３４】
タグリーダとタグライタとが携帯電話機に内蔵されているために、別途携帯電話機に繋ぐためのリーダなどの機器を持ち歩く必要がない。
【００３５】
携帯電話機を万一紛失した場合でも、タグライタで書き込まれた利用権限のあるタグを持たない悪意を持った者に、携帯電話機の機能や内部のデータを参照、利用されることがなく、安全である。
【００３６】
企業などで、ひとつの携帯電話機を複数の従業員などで使用する場合、タグライタによって利用権情報を書き込まれたタグを携帯しているだけで、携帯電話機を利用するための認証が可能になり、携帯電話機をセキュアに利用できる。
【００３７】
メンバー用のタグは、タグライタによって「一括」して書き込めるため、バイオメトリクス認証などの従来のシステムに比べ、メンバー用のタグの作成時間が短縮できる。
【発明を実施するための最良の形態】
【００３８】
本発明を実施するための最良の形態について図面を参照して詳細に説明する。図１は第１の実施の形態の構成を示すブロック図である。携帯電話機１０と、マスタータグ２０と、メンバータグ３０ａ、…、３０ｎとを含む。メンバータグは１個であってもよいが、一般には複数個である。
【００３９】
携帯電話機１０は、情報を表示するためのＬＣＤ（liquid crystal device）等の表示部１２と、データを入力するための操作部１３と、データを一時記憶する記憶部１５と、マスタータグ２０とメンバータグ３０ａ、…、３０ｎとに情報を書き込むライタ１７とマスタータグ２０とメンバータグ３０ａ、…、３０ｎとから情報を読み取るリーダ１６と、これら携帯電話機１０内の各部を制御する制御部１４とを有する。
【００４０】
マスタータグ２０とメンバータグ３０ａ、…、３０ｎとは、ＲＦＩＤ（Radio Frequency Identification）タグを使用すると、簡単で安価に本発明を実現できる。
【００４１】
次に、動作について説明する。図２はマスタータグ２０を認証する機能を設定する動作を示すフローチャートである。まず、携帯電話機１０の管理者は、まだ認証機能がＯＦＦの状態である携帯電話機１０のライタ１７を使用して、マスタータグ２０へ自らの認証情報であるマスター認証情報を書き込ませる（ステップＳ２０１０）。このとき、制御部１４はマスター認証情報を記憶部１５に格納させる。マスター認証情報のマスタータグ２０への書き込みと記憶部１５への格納の順番はどちらが先でもよい。なお、マスター認証情報は、事前に、携帯電話機１０の操作部１３等を利用して携帯電話機１０に書き込まれているものとする。
【００４２】
マスター認証情報の書き込みが完了すると、管理者はマスターの認証機能をＯＮにする（ステップＳ２０２０）。ステップＳ２０１０とＳ２０２０の操作は、表示部１２と操作部１３とを使用して行う。この段階で、原則としてマスタータグ２０の認証によってのみ、携帯電話機１０の利用が可能になる。
【００４３】
図３はマスタータグ２０の認証によって携帯電話機１０を利用する際の動作を示すフローチャートである。携帯電話機１０のリーダ１６はマスタータグ３０の情報を読み込む（ステップＳ３０１０）。制御部１４は、リーダ１６が読み込んだ情報と記憶部１５に格納しているマスター認証情報とのマッチングを実施し（ステップＳ３０２０）、認証がＯＫであれば、それ以降の携帯電話機１０の利用を許可する（ステップＳ３０３０）。このとき、認証がＮＧであれば、携帯電話機１０を利用することができない（ステップＳ３０４０）。
【００４４】
使用可能状態（ステップＳ３０３０）で、一定時間、利用者（管理者）から携帯電話機１０への操作が無いなど（この場合は、内部のイベントとしてあがる）、あるいは、携帯電話機１０への外部から着信などのイベントが発生した場合（ステップＳ３０３１）は、ステップＳ３０１０へ戻りマスタータグ３０を読み込み、利用者認証をその都度実施する（ステップＳ３０１０）。このとき、利用者はカードを身につけているだけで良く、認証自体を利用者が意識する必要は無い。
【００４５】
使用不可（ステップＳ３０４０）状態になった場合は、一定時間経過後（ステップＳ３０５０）、ステップＳ３０１０の処理に戻る。
【００４６】
図４はメンバータグ３０ａ、…、３０ｎを認証する機能を設定する動作を示すフローチャートである。マスターで利用できる権限のある利用者、つまり管理者が、マスタータグ３０が認証されている状態で、ライタ１７を使用してメンバータグ３０ａ、…、３０ｎへメンバー認証情報を書き込ませる（ステップＳ４０１０）。このとき、ＲＦＩＤライタの特性を利用して、複数のメンバータグ３０ａ、…、３０ｎへ一括して情報を書き込むことができる。制御部１４はメンバー認証情報を記憶部１５に格納させる。
【００４７】
書き込まれたメンバータグ３０ａ、…、３０ｎは、管理者が許可するメンバーに配布される。
【００４８】
図５はメンバータグ３０ａ、…、３０ｎの認証によって携帯電話機１０を利用する際の動作を示すフローチャートである。
【００４９】
メンバーは、メンバータグ３０ａ、…、３０ｎを携帯電話機１０の近くに置くか、身につけているだけで、携帯電話機１０のリーダ１６がメンバータグ３０ａ、…、３０ｎの情報を読み込む（ステップＳ５０１０）。制御部１４は認証を実施する（ステップＳ５０２０）。もし、リーダ１６が読み取った情報を携帯電話機１０の記憶部１５に格納されているメンバー認証情報と比較して、マッチしていれば、認証がＯＫであり、メンバーが携帯電話機１０を利用可能になる（ステップＳ５０３０）。
【００５０】
ステップＳ５０２０で認証がＮＧになれば、使用不可状態（ステップＳ５０４０）となり、携帯電話機１０を利用することはできない。
【００５１】
使用可能状態（ステップＳ５０３０）で、一定時間、利用者から携帯電話機１０への操作が無いなど（この場合は、内部のイベントとしてあがる）、あるいは、携帯電話機１０への外部から着信などのイベントが発生した場合（ステップＳ５０３１）は、ステップＳ５０１０へ戻り、メンバータグ３０ａ、…、３０ｎを読み込み、利用者認証をその都度実施する。このとき、利用者はカードを身につけているだけで良く、認証自体を利用者が意識する必要は無い。なお、使用不可（ステップＳ５０４０）状態になった場合は、一定時間経過後、ステップＳ５０１０の処理に戻る。
【００５２】
次に、本発明の第２の実施の形態について説明する。図６は第２の実施の形態の構成を示すブロック図である。第２の実施の形態では第１の実施の形態の構成に加えてパーソナルコンピュータ４０を含む。携帯電話機１０とパーソナルコンピュータ４０とは無線、あるいは有線で通信可能とする。
【００５３】
パーソナルコンピュータ４０は、情報を表示するための表示部４２とデータ入力を行う操作部４３とデータを一時記憶する記憶部（図示せず）とを有する。パーソナルコンピュータ４０は、携帯電話機１０とデータを送受信できるものであれば、他の情報処理端末であってよい。
【００５４】
利用者は携帯電話機１０の利用が終了した場合（一般には、一日の終わりか、利用申請期間の終わり）には、利用したデータなどを、たとえばＵＳＢ（Universal Serial Bus）ケーブルを使用して、携帯電話機１０の記憶部１５からパーソナルコンピュータ４０の記憶部に個人で格納しておき、次回に利用するときに逆に携帯電話機１０に読み込むことができる。この方法により、データの再利用ができるとともに、携帯電話機１０自体にユーザデータなどのプライバシーに関わるようなデータを残さないような運用が簡単にできる。携帯電話機１０を紛失したときなどのプライバシー保護の面から言っても有効なシステムであると言える。
【００５５】
次に、本発明の第３の実施の形態について説明する。第１の実施の形態では、複数のメンバータグ３０ａ、…、３０ｎに一括して同一のメンバー認証情報を書き込むことにより、利用者はどのメンバータグを所有していても同一の条件で携帯電話機１０をすることができる。第３の実施の形態では、メンバータグに利用者個人情報のＩＤを記録する。これにより、利用者個人が利用できる機能の制限を行うことができる。また、パーソナルコンピュータ４０からそのＩＤにマッチした個人データを自動ロードすることを容易に行うことができる。
【００５６】
企業などでの利用の場合、複数のメンバータグをカテゴライズする方法もある。同一グループ内は同じ認証情報とし、グループが異なれば認証情報が異なるようにする。例えば、メンバータグ３０ａ、…、３０ｎに「グループ名」と「個人ＩＤ」の両方を書き込んで利用、管理する。このようにすることにより、カテゴライズされたグループ毎の利用状況のフォローなどが可能となる。
【００５７】
また、グループで使用する場合に、セキュリティ確保のため、使用が完了した段階で携帯電話機に蓄積されたデータを消去する場合、データを消去する前にＵＳＢ接続などで繋がれたローカルのパーソナルコンピュータに個人データを保存することで、次回利用時に、そのパーソナルコンピュータから個人データを復元することができる。
【００５８】
本発明の第１〜第３の実施の形態の携帯電話機１０またはパーソナルコンピュータ４０の動作はコンピュータ・プログラム処理により行わせることが可能である。すなわち、記録媒体に記録したプログラムを携帯電話機１０またはパーソナルコンピュータ４０に読み込ませるか、あるいは、ネットワークからプログラムを携帯電話機１０またはパーソナルコンピュータ４０に読み込ませて、実施の形態で説明した動作を実行させる。
【図面の簡単な説明】
【００５９】
【図１】第１の実施の形態の構成を示すブロック図である。
【図２】マスタータグを認証する機能を設定する動作を示すフローチャートである。
【図３】マスタータグの認証によって携帯電話機を利用する際の動作を示すフローチャートである。
【図４】メンバータグを認証する機能を設定する動作を示すフローチャートである。
【図５】メンバータグの認証によって携帯電話機を利用する際の動作を示すフローチャートである。
【図６】第２の実施の形態の構成を示すブロック図である。
【符号の説明】
【００６０】
１０    携帯電話機
１２    表示部
１３    操作部
１４    制御部
１５    記憶部
１６    リーダ
１７    ライタ
３０ａ、…、３０ｎ    メンバータグ
４０    パーソナルコンピュータ
４２    表示部
４３    操作部
【図１】
2005159565.tif 000003
【図２】
2005159565.tif 000004
【図３】
2005159565.tif 000005
【図４】
2005159565.tif 000006
【図５】
2005159565.tif 000007
【図６】
2005159565.tif 000008